(57)【特許請求の範囲】
【請求項１】
任意数のＣ字状のレバータンブラーに当接して各レバータンブラーを解錠位置に整合変位させるための選択された深さの刻みを、平板状のキー本体の両側辺に設けたレバータンブラー錠用のリバーシブルキーにおいて、キー本体の両側辺における対をなす刻みの谷の底部はキー本体の厚さ方向でともに傾斜させてあり、キー本体の平板面と直角をなしかつキー本体の中心軸線を含む平面に関し、一対の谷の底部の傾斜は、逆向きにしてあることを特徴とするリバーシブルキー。
【請求項２】
傾斜させた谷の底部を内に凸の曲面としたことを特徴とする請求項１記載のリバーシブルキー。
【請求項３】
任意数のＣ字状のレバータンブラーに当接して各レバータンブラーを解錠位置に整合変位させるための選択された深さの刻みを、平板状のキー本体の両側辺に設けたレバータンブラー錠用のリバーシブルキーの製作方法であって、特定の軸線の回りに揺動可能に設けたワーク台に対し、平板状の鍵材をその平板面がワーク台の軸線と平行をなすようにして固定し、ワーク台上の鍵材におけるキー本体の一側辺を、ワーク台の軸線と平行をなす特定の軸線の回りに回転する円板状の回転刃に押し付けることによって、キー本体に対して設ける所要の刻みについて谷の底部を内に凸の曲面として選択された深さの斜面に形成し、次いで、ワーク台上の平板状の鍵材を表裏を逆にして付け変え、ワーク台上の鍵材におけるキー本体の他側辺を前記の回転刃に押し付けることによって、キー本体に対して設けた一側辺の刻みと対をなす刻みについて谷の底部を内に凸の曲面として選択された同一深さの斜面に形成することを特徴とするリバーシブルキーの製作方法。
【発明の詳細な説明】
【０００１】
【発明の属する技術分野】
この発明は、レバータンブラー錠用のリバーシブルキー及びその製作方法に関する。
【０００２】
【従来の技術】
従来のレバータンブラー錠用のリバーシブルキー、すなわち、任意数のＣ字状のレバータンブラーに当接して各レバータンブラーを解錠位置に整合変位させるための選択された深さの刻みを、平板状のキー本体の両側辺に設けたリバーシブルキーとしては、図１２に示されるようなものが知られている。
【０００３】
リバーシブルキーは、そのキー本体の平板面１４、１４の表裏を逆にしても鍵孔に挿入することができ、かつ錠を施解錠することができる利便さがある。
【０００４】
しかしながら、図１２に示す従来のリバーシブルキーにおいては、両側辺で対をなす刻み２０、２０の谷の底部３０、３０が、キー本体の平板面１４、１４と直角をなしかつキー本体の中心軸線ｌを含む平面Ｐに関し互に平行をなすように形成され、また、キー本体の横断端面が前記平面Ｐに関し面対称をなすように形成してある。
【０００５】
その為、一つには、ならい鍵切り機等により複製が不正に行われ易いこと、他の一つには、レバータンブラー錠でＣ字状のレバータンブラーを表裏逆に入れても（レバータンブラーは、鍵違いを増やす為、それを表裏逆にしてＣ字状又は逆Ｃ字状として装着できるようにしてある）、同じリバーシブルキーによって施解錠可能であるから鍵違い数の減少が余儀なくされることなど、未解決の問題がある。
【０００６】
【発明が解決しようとする課題】
この発明はレバータンブラー錠用として提供されるリバーシブルキーは、前記の問題を悉く解決しようとするものである。すなわち、キー本体の刻みの形状を新規なものに変えることによって複製をしにくくし、かつ鍵違い数の減少を排除することを目的とする。
【０００７】
また、他の発明は、新規なリバーシブルキーの好ましい製作方法を提案することを目的とする。
【０００８】
【課題を解決するための手段】
上記の目的と達成するため、請求項１のリバーシブルキーにかかる発明は、任意数のＣ字状のレバータンブラーに当接して各レバータンブラーを解錠位置に整合変位させるための選択された深さの刻みを、平板状のキー本体の両側辺に設けたレバータンブラー錠用のリバーシブルキーにおいて、キー本体の両側辺における対をなす刻みの谷の底部はキー本体の厚さ方向でともに傾斜させてあり、キー本体の平板面と直角をなしかつキー本体の中心軸線を含む平面に関し、一対の谷の底部の傾斜は、互に逆向きにしてあることを特徴とする。
【０００９】
また、請求項２の発明は、請求項１記載のリバーシブルキーにおいて、傾斜させた谷の底部を内に凸の曲面としたことを特徴とする。
【００１０】
さらに、請求項３のリバーシブルキーの製作方法に係る発明は、任意数のＣ字状のレバータンブラーに当接して各レバータンブラーを解錠位置に整合変位させるための選択された深さの刻みを、平板状のキー本体の両側辺に設けたレバータンブラー錠用のリバーシブルキーの製作方法であって、特定の軸線の回りに揺動可能に設けたワーク台に対し、平板状の鍵材をその平板面がワーク台の軸線と平行をなすようにして固定し、ワーク台上の鍵材におけるキー本体の一側辺を、ワーク台の軸線と平行をなす特定の軸線の回りに回転する円板状の回転刃に押し付けることによって、キー本体に対して設ける所要の刻みについて谷の底部を内に凸の曲面として選択された深さの斜面に形成し、次いで、ワーク台上の平板状の鍵材を表裏を逆にして付け変え、ワーク台上の鍵材におけるキー本体の他側辺を前記の回転刃に押し付けることによって、キー本体に対して設けた一側辺の刻みと対をなす刻みについて谷の底部を内に凸の曲面として選択された同一深さの斜面に形成することを特徴とする。
【００１１】
【発明の実施の形態】
以下、図面に示す実施例に基いてこの発明について説明する。
図１〜図３において、符号１はつまみ１１及び平板状のキー本体１２から成るリバーシブルキー、１３はキー本体１２の長さ方向に沿ってその平板面１４、１４に設けた横断面を任意形状としたウォードである。ウォードの形式は溝であっても突条であってもよい。
【００１２】
この発明のリバーシブルキー１が差し込まれて用いられるレバータンブラー錠２は、図３〜図６に示すように、内周面の母線に沿ってカム溝２１を形成した外筒２２と、その外筒２２に回転自在に嵌合し、間隙を隔てて列設された複数の仕切板２３を備えると共に、前後方向に鍵孔２４を貫通させた内筒部２５と、その内筒部２５の母線に沿って延在し、内筒部２５の半径方向に移動可能に装着されると共に、押しばね２６により外方に向け付勢されたロッキングバー２７とを有する。
【００１３】
そして、前記の仕切板２３が形成する複数のスロット内に、それぞれの先端部分にロッキングバー２７を選択的に受け入れる解錠切欠き２８を形成したＣ字状のレバータンブラー２９を支軸３１で枢着し、各レバータンブラー２９は、鍵孔２４に差し込まれるキーの側辺部と干渉する方向にタンブラーばね３２で付勢される。
【００１４】
レバータンブラー錠は、合鍵が鍵孔２４に挿入されたとき、これらのタンブラー群２９のそれぞれが鍵孔２４に挿通された合鍵の対応する刻みと係合し、各タンブラー２９の解錠切欠き２８がロッキングバー２７の内側縁と整合するようにしてある。
【００１５】
そしてその状態で合鍵を回すと、カム溝２１とロッキングバー２７との間に生じる楔作用によりロッキングバー２７が内筒半径方向に移動するので、バックアップピン３３を含み、前方のキーガイド３４、仕切板２３、周囲を囲むリテーナ３５及び後方の尾栓３６等から成る内筒部２５は全体として解錠方向又は施錠方向に回動できる。
【００１６】
なお、前記のＣ字状のタンブラー２９はその開口部を任意に逆方向に向けて、換言すれば逆Ｃ字状をなすようにして装着され得ることは言うまでもない。
【００１７】
このようなレバータンブラー錠は実公昭５９−１９０９９号公報又は特公昭６０−６４３２号公報等にも示され周知であるから、構造や作動についての更に詳しい説明は省略する。
【００１８】
この発明に係るリバーシブルキーに戻って説明を加えると、そのキーの特徴はキー本体１２の両側辺に共に設けた刻みにある。
【００１９】
キー本体１２の両側辺において中心軸線ｌと直角をなす平面上で対をなすようにして設けた刻みの谷の底部３、３ａは、図２に明示するように、キー本体１２の厚さ方向でともに傾斜させてあり、一対の谷の底部３、３ａの傾斜は、図２に示す平面Ｐ、すなわち、キー本体１２の平面板１４、１４と直角をなしかつキー本体１２の中心軸線ｌを含む平面、に関し互に逆向きにしてある。
【００２０】
言い換えると、前記の対をなす谷の底部３、３ａにおける傾斜は、キー本体１２の平板面１４、１４と直角をなしかつキー本体１２の中心軸線ｌを含む平面Ｐに関し面対称ではなく、キー本体１２の横断端面において点対称をなすように形成されている。
【００２１】
更にまた、傾斜させた各谷の底部３（３ａ）は図示例では内に凸の曲面に形成してある。底部３（３ａ）の傾斜面をこのように曲面にすると、キーの不正な複製を一層難しくするが、その傾斜面は平面としてもよい。
【００２２】
キー本体１２の各刻みにおける底部３（３ａ）の傾斜面は、それが対応するタンブラー２９の正面形の違いに応じて形成されるが、例えば、図２に示すように、切削前のキー本体（図７に示す鍵材１０の本体のこと）に対しある定点Ａを通る直線がその定点Ａを中心として角度を変えた時、キー本体（１２）の一側辺の稜線とぶつかる直線ＡＯを基準として、角度を変える直線がキー本体（１２）をよぎる角度的深さｄ1、ｄ2、・・・ｄnを対応するタンブラー２９の種類に応じて選択し、その深さｄnの刻みを切削する。図２で示す谷の底部３、３ａの深さはｄ2である。
【００２３】
前記のような構成のこの発明のリバーシブルキーは、両側辺で対をなす１組の刻みにおいても鍵違いを生ずる。その鍵違いについて図５及び図６で説明する。
【００２４】
図５に示すレバータンブラー２９はＣ字状をなすように装着されており、また、図６に示すレバータンブラー２９は同じ列で正面形が同じものを表裏を逆にして逆Ｃ字状をなすようにして装着してある。
【００２５】
図５のＣ字状のタンブラー２９は、本発明のキーにおける長さ方向の所定位置の刻みで押されて解錠切欠き２８が解錠位置に至っているが、図６の逆Ｃ字状のタンブラー２９は同じキーを用いても傾斜している刻みの底部３ａの浅い部分が衝接することになる。
【００２６】
その為、図１２の従来のリバーシブルキーとは異なり、解錠切欠き２８は解錠位置を占めることにはならず、内筒部２５は外筒２２に対し回動不能である。このことは本発明のキーがリバーシブルであるに関わらず、鍵違い数の減少を排除していることを示している。
【００２７】
次に、図１及び図２に示すリバーシブルキーを製作するに好ましいこの発明の方法に関して図７〜図１１を参照して説明する。
【００２８】
図７はその製作に用いるワーク、すなわち刻みを切削すべき平板状の鍵材１０を示している。
【００２９】
前記の鍵材１０は、図８に示すように、特定の固定した軸線ｍの回りに揺動可能に設けたワーク台４に対して着脱可能に固定する。ワーク台４上の鍵材１０はその平板面１４、１４がワーク台４の軸線ｍに対し平行をなすようにして取り付ける。
【００３０】
そして、ワーク台４上の鍵材１０におけるキー本体の一側辺を、ワーク台４の軸線ｍと平行をなす特定の固定した別の軸線ｒの回りに回転する円板状の回転刃５に押し付ける。回転刃５の刃先にはキーの刻みにおける誘導斜面６、６ａを形成するためのテーパ部５１を備えている。
【００３１】
そこで、図９に示すように、キー本体１２に対して設けるべき所要の刻みについて谷の底部３を内に凸の曲面として直線ＡＯを基準とする選択された深さｄn（図９でｄ3）の斜面に切削形成する。
【００３２】
この際、誘導斜面６が同時に形成される。但し、この誘導斜面６はキー本体１２の幅方向並びに軸線方向の両方向に対し傾斜して形成される。
勿論、キー本体１２の一側辺の他の刻みについても同様にして切削形成する。
【００３３】
次いで、図１０に示すように、ワーク台４上の平板状の鍵材１０を表裏を逆にして付け換え、ワーク台４上の鍵材１０におけるキー本体１２の他側辺を前記の回転刃５に押し付けることにより、対をなす谷の底部３ａを内に凸の曲面として、直線ＡＯを基準とする選択された同一深さｄｎ（図１０でｄ3）の斜面に切削形成する。誘導斜面６ａが同時に形成されることは、前記と同様である。
同様にして、キー本体１２の他側辺の他の刻みについても切削形成する。
【００３４】
図１１は前記のような工程を経て完成し、ワーク台４から取り外されたリバーシブルキーを示す。
【００３５】
なお、この製作方法に係る図示例では、ワーク台４の軸線ｍとワーク台４に対する鍵材１０の固定位置との関係は、レバータンブラー錠２における支軸３１と錠２の鍵孔２４に差し込まれたリバーシブルキー１との関係と同じくしてあるが、軸線ｍとワーク台４上の鍵材１０との関係位置は図示例に限らない。
【００３６】
この発明に係るリバーシブルキーにおいて、刻みの谷の底部を傾斜平面にする場合には、例えば、ワーク台４を所定の角度位置にまで回動させた後、ワーク台４又は回転刃５を図８のＢ方向、すなわち回転刃５の接線方向に移動させることにより切削形成できる。
【００３７】
【発明の効果】
以上に説明したこの発明のリバーシブルキーによれば、両側辺の刻みにおける対をなす谷の底部を互に逆向き傾斜面に形成してあるから、不正な複製を困難にするほか、リバーシブルキーにしたことによる鍵違い数の減少を排除できる効果を奏する。
【００３８】
また、前記底部の斜面を曲面としたものは、不正な複製を更に難しいものとする。
【００３９】
更に、この発明では、傾斜させた谷の底部を内に凸の曲面とした特殊なリバーシブルキーを正確にして効率よく製作する方法を提案している。
【図面の簡単な説明】
【図１】この発明のリバーシブルキーの実施例を示す平面図。
【図２】図１のＩＩ−ＩＩ線による拡大断面図。
【図３】図１のキーを差し込んだ状態におけるレバータンブラー錠の一例を示す縦断側面図。
【図４】図３のレバータンブラー錠からキーを抜き取った状態におけるＩＶ−ＩＶ線における横断面図。
【図５】図３のレバータンブラー錠のＶ−Ｖ線における横断面図。
【図６】図３のレバータンブラー錠においてＣ字状のタンブラーを逆Ｃ字状をなすように付け換えたものと、リバーシブルキーとの関係を示す横断面図（図３のＶ−Ｖ線相当箇所における横断面図）。
【図７】図１のリバーシブルキーを製作するための鍵材の拡大横断面図。
【図８】鍵材をワーク台に取り付けた工程を示す拡大説明図。
【図９】鍵材の一側辺の刻みを切削している工程を示す拡大説明図。
【図１０】鍵材の他側辺の刻みを切削している工程を示す拡大説明図。
【図１１】完成したリバーシブルキーの拡大横断面図。
【図１２】従来のリバーシブルキーの拡大横断面図。
【符号の説明】
１  リバーシブルキー
１０  鍵材
１２  キー本体
１４  平板面
２  レバータンブラー錠
２９  レバータンブラー
３、３ａ  刻みの谷の底部
４  ワーク台
５  回転刃
ｄn  刻みの深さ
ｌ  中心軸線
ｍ  回動軸線
Ｐ  平面
【図１】
0003811820.tif 000002
【図２】
0003811820.tif 000003
【図３】
0003811820.tif 000004
【図４】
0003811820.tif 000005
【図５】
0003811820.tif 000006
【図６】
0003811820.tif 000007
【図７】
0003811820.tif 000008
【図８】
0003811820.tif 000009
【図９】
0003811820.tif 000010
【図１０】
0003811820.tif 000011
【図１１】
0003811820.tif 000012
【図１２】
0003811820.tif 000013